(57)【要約】【課題】  制御回路に素早い立上りで且つ安定した直流電圧を供給することができる電気洗濯機の直流電源を実現する。【解決手段】  比較的小さな静電容量の平滑コンデンサ２０ｄを使用して起動時間を短縮するように構成した制御回路用直流電源発生回路２０における平滑コンデンサの電圧が負荷の増加によって低下したときには、大きな静電容量の平滑コンデンサ１８ｂを使用した主回路用直流電源発生回路１８における平滑コンデンサから補給電して制御回路用直流電源発生回路の出力電圧を安定に維持する。【選択図】  図２
2006197738.tif 000002
【特許請求の範囲】
【請求項１】
洗濯物を入れる洗濯槽と、前記洗濯槽を回転駆動するためのモータを備えた主駆動装置と、商用電源から入力した交流電圧を整流してコンデンサで平滑することにより主回路用直流電源電圧を生成する主回路用直流電源発生回路と、前記主回路用直流電源発生回路の出力電圧を電源として前記モータへの給電を制御するインバータ回路と、給水電磁弁および排水電磁弁と、前記インバータ回路と給水電磁弁および排水電磁弁を制御して洗い工程，濯ぎ工程を実行させる制御回路と、商用電源から入力した交流電圧を整流した後にコンデンサで平滑して得た直流電圧を入力とする制御回路用直流電源発生回路を備えた電気洗濯機において、
前記制御回路用直流電源発生回路は、前記直流電圧入力の他に前記主回路用直流電源発生回路の平滑用のコンデンサから直流電圧を取得するように構成したことを特徴とする電気洗濯機。
【請求項２】
洗濯物を入れる洗濯槽と、前記洗濯槽を回転駆動するためのモータを備えた主駆動装置と、商用電源から入力した交流電圧を整流してコンデンサで平滑することにより主回路用直流電源電圧を生成する主回路用直流電源発生回路と、前記主回路用直流電源発生回路の出力電圧を電源として前記モータへの給電を制御するインバータ回路と、給水電磁弁および排水電磁弁と、指示入力スイッチ群および表示素子群を備えた操作パネルと、前記インバータ回路と給水電磁弁および排水電磁弁を制御して洗い工程，濯ぎ工程を実行させると共に表示素子群を点灯制御する制御回路と、商用電源から電源スイッチを介して入力した交流電圧を整流した後にコンデンサで平滑して得た直流電圧を入力とする制御回路用直流電源発生回路を備えた電気洗濯機において、
前記制御回路用直流電源発生回路は、前記電源スイッチを介して入力した交流電圧を整流した後にコンデンサで平滑して得た直流電圧の他に前記主回路用直流電源発生回路の平滑用のコンデンサから直流電圧を取得するように構成し、電源スイッチ投入時には該電源スイッチからの入力に基づいた直流電圧を電源として前記表示素子群の制御を実行し、前記工程制御時には電源スイッチからの入力に基づいた直流電圧と前記主回路用直流電源発生回路の平滑用のコンデンサの直流電圧を電源として制御を実行するようにしたことを特徴とする電気洗濯機。
【発明の詳細な説明】
【技術分野】
【０００１】
本発明は、電気洗濯機に係り、特に制御回路用直流電源発生回路に関する。
【背景技術】
【０００２】
電気洗濯機（洗濯乾燥機）は、基本的には、洗濯槽（洗濯兼脱水槽）内の洗濯物と洗濯水を撹拌翼によって撹拌して洗濯（洗いと濯ぎ）し、洗濯槽を回転させて洗濯物を遠心脱水（および乾燥）する構成である。
【０００３】
このような電気洗濯機は、撹拌翼や洗濯槽を回転駆動するモータとクラッチ機構を内蔵した主駆動装置，給排水電磁弁，洗濯水循環ポンプ，風呂水給水ポンプ，乾燥空気循環ファン，操作パネルなどを備え、制御装置は、操作パネルからの指示入力に基づいて洗濯・脱水・乾燥工程の実行内容を設定し、前記主駆動装置，給排水電磁弁，洗濯水循環ポンプ，風呂水給水ポンプ，乾燥空気循環ファンを制御して洗濯・脱水・乾燥工程を実行し、操作パネルの表示素子を制御して工程の設定および進行状態を表示する。
【０００４】
また、ドラム式の電気洗濯機（洗濯乾燥機）は、洗濯槽が撹拌翼としても機能し、洗濯および乾燥工程では前記洗濯槽をモータによって低速回転させて洗濯物を撹拌し、脱水工程では前記洗濯槽をモータによって高速回転させて洗濯物を遠心脱水する構成が前記電気洗濯機と異なる構成であり、その他の構成は前記電気洗濯機と同様である。
【発明の開示】
【発明が解決しようとする課題】
【０００５】
このような電気洗濯機における制御装置は、主駆動装置，給排水電磁弁，洗濯水循環ポンプ，風呂水給水ポンプ，乾燥空気循環ファン，操作パネルを制御する制御回路と電源回路（電源装置）を備える。この電源装置は、主駆動回路のモータである直流ブラシレスモータに給電するインバータ回路の電源としての主回路用直流発生回路と、制御回路におけるマイクロコンピュータや洗濯水循環ポンプ，風呂水給水ポンプ，乾燥空気循環ファン，操作パネルなどの負荷に給電する電源としての制御回路用直流電源発生回路を備える。
【０００６】
これらの両直流電源発生回路は、何れも、商用交流電圧を整流・平滑して直流電圧を発生する構成であり、主回路用直流発生回路は、全波整流回路と比較的大きな静電容量の平滑コンデンサを備え、制御回路用直流電源発生回路は、半波整流回路と比較的小さな静電容量の平滑コンデンサと該平滑コンデンサに発生した直流電圧を各負荷への給電に適した電圧に変換する電圧変換回路を備える。
【０００７】
制御回路用直流電源発生回路における平滑コンデンサは、最大負荷状態においても電圧変換回路の入力側の電圧リップルを許容値に入るように平滑することができる静電容量であり、また、誤って電源コードのコンセントが抜かれたり、商用電源に瞬停が生じた場合にも電気洗濯機の安全性を確保するために、商用電源の供給が停止した後も電圧変換回路の出力側の所定の電圧を所定時間維持することができるような電荷を蓄えることができる静電容量であることが望ましい。
【０００８】
しかしながら、最大負荷や商用交流電源供給停止状態を考慮すると、制御回路用直流電源発生回路における平滑コンデンサには大きな静電容量が必要となり、平滑コンデンサが大型化し、且つ高価なものになる。
【０００９】
しかも、制御回路用直流電圧発生回路における平滑コンデンサの静電容量を大きくすると該平滑コンデンサを所定の安定した電圧まで充電するための所要時間が長くなり、電源スイッチ投入から制御装置が動作状態となるまでの電圧上昇（起動）所要時間が長くなることから、電源スイッチ投入から操作パネルが動作状態となって表示素子が点灯するまでの遅れ時間が長くなったり、電気洗濯機の使い勝手が悪くなるという問題がある。このような問題は、制御回路用直流電源発生回路の負荷が大きくなると平滑コンデンサの静電容量を大きくしなければならないことから顕著になる。
【００１０】
本発明の１つの目的は、起動所要時間を短くするために比較的小さな静電容量の平滑コンデンサを使用しても比較的大きな負荷に直流電源を安定に供給することができる電源装置を提案することにある。
【００１１】
本発明の他の目的は、電源スイッチ投入時に操作パネルを素速く動作状態に立ち上げて表示素子を点灯することができるようにすると共に比較的大きな負荷に直流電源を安定に供給することができる電源装置を提案することにある。
【課題を解決するための手段】
【００１２】
本発明は、比較的小さな静電容量の平滑コンデンサを使用して起動時間を短縮するように構成した制御回路用直流電源発生回路における前記平滑コンデンサの電圧が負荷の増加によって低下したときには、大きな静電容量の平滑コンデンサを使用した主回路用直流電源発生回路における前記平滑コンデンサから補給電することによって制御回路用直流電源発生回路の出力電圧を安定に維持するものである。
【００１３】
具体的には、洗濯物を入れる洗濯槽と、前記洗濯槽を回転駆動するためのモータを備えた主駆動装置と、商用電源から入力した交流電圧を整流してコンデンサで平滑することにより主回路用直流電源電圧を生成する主回路用直流電源発生回路と、前記主回路用直流電源発生回路の出力電圧を電源として前記モータへの給電を制御するインバータ回路と、給水電磁弁および排水電磁弁と、前記インバータ回路と給水電磁弁および排水電磁弁を制御して洗い工程，濯ぎ工程を実行させる制御回路と、商用電源から入力した交流電圧を整流した後にコンデンサで平滑して得た直流電圧を入力とする制御回路用直流電源発生回路を備えた電気洗濯機において、
前記制御回路用直流電源発生回路は、前記直流電圧入力の他に前記主回路用直流電源発生回路の平滑用のコンデンサから直流電圧を取得するように構成したことを特徴とし、
または、洗濯物を入れる洗濯槽と、前記洗濯槽を回転駆動するためのモータを備えた主駆動装置と、商用電源から入力した交流電圧を整流してコンデンサで平滑することにより主回路用直流電源電圧を生成する主回路用直流電源発生回路と、前記主回路用直流電源発生回路の出力電圧を電源として前記モータへの給電を制御するインバータ回路と、給水電磁弁および排水電磁弁と、指示入力スイッチ群および表示素子群を備えた操作パネルと、前記インバータ回路とクラッチ機構と給水電磁弁および排水電磁弁を制御して洗い工程，濯ぎ工程を実行させると共に表示素子群を点灯制御する制御回路と、商用電源から電源スイッチを介して入力した交流電圧を整流した後にコンデンサで平滑して得た直流電圧を入力とする制御回路用直流電源発生回路を備えた電気洗濯機において、
前記制御回路用直流電源発生回路は、前記電源スイッチを介して入力した交流電圧を整流した後にコンデンサで平滑して得た直流電圧の他に前記主回路用直流電源発生回路の平滑用のコンデンサから直流電圧を取得するように構成し、電源スイッチ投入時には該電源スイッチからの入力に基づいた直流電圧を電源として前記表示素子群の制御を実行し、前記工程制御時には電源スイッチからの入力に基づいた直流電圧と前記主回路用直流電源発生回路の平滑用のコンデンサの直流電圧を電源として制御を実行するようにしたことを特徴とする。
【発明の効果】
【００１４】
本発明によれば、制御回路用直流電源生成回路の入力側に使用する平滑コンデンサの静電容量を小さくすることができるので、電源スイッチ投入時の立ち上りを早くすることができ、しかも、制御回路用直流電源生成回路の負荷が増加して前記平滑コンデンサの電圧が低下したときには、大きな静電容量の平滑コンデンサを使用する主回路用直流電源発生装置における前記平滑コンデンサから補給電を受けることができるので、増加した負荷に対して安定な給電を継続することができる。また、電源コンセントが抜き取られたり、商用電源が瞬停したときにも制御回路が所定の制御処理をするための電力供給を継続することができる。
【発明を実施するための最良の形態】
【００１５】
本発明は、洗濯物を入れる洗濯槽と、前記洗濯槽を回転駆動するためのモータを備えた主駆動装置と、商用電源から入力した交流電圧を整流してコンデンサで平滑することにより主回路用直流電源電圧を生成する主回路用直流電源発生回路と、前記主回路用直流電源発生回路の出力電圧を電源として前記モータへの給電を制御するインバータ回路と、給水電磁弁および排水電磁弁と、指示入力スイッチ群および表示素子群を備えた操作パネルと、前記インバータ回路と給水電磁弁および排水電磁弁を制御して洗い工程，濯ぎ工程を実行させると共に表示素子群を点灯制御する制御回路と、商用電源から電源スイッチを介して入力した交流電圧を整流した後にコンデンサで平滑して得た直流電圧を入力とする制御回路用直流電源発生回路を備えた電気洗濯機において、
前記制御回路用直流電源発生回路は、前記電源スイッチを介して入力した交流電圧を整流した後にコンデンサで平滑して得た直流電圧の他に前記主回路用直流電源発生回路の平滑用のコンデンサから直流電圧を取得するように構成し、電源スイッチ投入時には該電源スイッチからの入力に基づいた直流電圧を電源として前記表示素子群の制御を実行し、前記工程制御時には電源スイッチからの入力に基づいた直流電圧と前記主回路用直流電源発生回路の平滑用のコンデンサの直流電圧を電源として制御を実行することができるように構成する。
【実施例１】
【００１６】
本発明の実施例１の電気洗濯機を図面を参照して説明する。図１は、この実施例１の電気洗濯機の縦断側面図、図２は、その制御装置の電気回路図である。
【００１７】
外枠１の内部に複数のサスペンション２で支持して外槽３を設置し、この外槽３内に洗濯兼脱水槽である洗濯槽４を回転可能に設置し、この洗濯槽４内の底部に撹拌翼５を回転可能に設置する。洗濯槽４と撹拌翼５は、外槽３を貫通させた同心２重軸の内端に結合して設置し、外槽３の外側に取り付けた主駆動装置６のモータによって回転するように構成する。
【００１８】
主駆動装置６は、図示説明は省略するが、直流ブラシレスモータとクラッチ機構と減速歯車機構を内蔵し、洗濯（および乾燥）工程では洗濯槽４を静止させた状態で撹拌翼５を緩速回転駆動し、脱水工程では洗濯槽４と撹拌翼５を一体的に高速回転駆動する駆動系を形成ように構成する。
【００１９】
外枠１の上端には衣類投入口７ａを有するトップカバー７を固着し、衣類投入口７ａは外蓋８によって開閉可能に覆う。このトップカバー７内の前部には指示入力スイッチ群および表示素子群を備えた操作パネル（基板）９や主制御基板１０や水位センサ１１を収納し、後部には給水電磁弁１２や風呂水給水ポンプ（図示省略）を収納する。
【００２０】
外槽３の下部に設けたエアトラップ３ａはエアチューブ１３を介して前記水位センサ１１に接続し、排水口３ｂは排水電磁弁１４を介して排水ホース１５に接続する。更に、排水口３ｂは、洗濯水循環ポンプに接続して洗濯水を洗濯槽４の上方から該洗濯槽４内に振り掛けるように循環させる洗濯水循環系（図示省略）を構成する。また、乾燥機能付きの電気洗濯機とするときには、外槽３の底部側壁に排気口を形成し、外槽内の空気を空気循環ファンによって吸い出して冷却除湿した後に加熱して洗濯槽４の上方から該洗濯槽４内に吹き込む乾燥空気循環系（図示省略）を構成する。
【００２１】
図２を参照して制御装置を具体的に説明する。この制御装置は、主として、主制御基板１０に実装して構成する。
【００２２】
制御装置は、主駆動装置６のモータである直流ブラシレスモータ６ａに給電するインバータ回路１７の直流電源となる主回路用直流電源発生回路１８と制御回路１９に給電する制御回路用直流源発生回路２０を備える。
【００２３】
主回路用直流電源発生回路１８は、全波整流回を構成するように接続した全波整流ダイオードブリッジ回路１８ａと該全波整流ダイオードブリッジ回路１８ａの直流端子から出力する全波整流の脈動電圧を平滑して直流電圧にする比較的大きな静電容量（４５０μＦ〜１０００μμＦ）の平滑コンデンサ１８ｂを備える。全波整流ダイオードブリッジ回路１８ａの交流端子は、常開の電源リレー接点ＲＹ１，ＲＹ２を介して商用交流電源２１に接続する。
【００２４】
制御回路用直流電源発生回路２０は、電源リレー接点ＲＹ１の上流側から半波整流ダイオード２０ａと電流制限抵抗２０ｂと電源スイッチ２０ｃを通して出力する半波整流の脈動電圧を平滑して直流電圧にする比較的小さな静電容量（３０μＦ〜３５μμＦ）の平滑コンデンサ２０ｄと、前記電源リレー接点ＲＹ１の下流側から前記平滑コンデンサ２０ｄを充電する半波整流ダイオード２０ｅと、電圧変換回路（スイッチング電源回路）を構成するスイッチング電源コントロールＩＣ２０ｆ，スイッチングトランジスタ２０ｇ，１次巻線２０ｈと３つの２次巻線２０ｉ，２０ｊ，２０ｋを備えた変圧器２０ｍと、２次巻線２０ｉ〜２０ｋに発生電圧を整流する３つの半波整流ダイオード２０ｎ，２０ｏ，２０ｐと、３つの平滑コンデンサ２０ｑ，２０ｒ，２０ｓを備える。
【００２５】
ダイオード２２は、前記制御回路用直流電源発生回路２０の平滑コンデンサ２０ｄの直流電圧が前記主回路用直流電源発生回路１８の平滑コンデンサ１８ｂの直流出圧よりも低くなったときに該平滑コンデンサ１８ｂに蓄積された電荷を前記平滑コンデンサ２０ｄに移動する向きに制御回路用直流電源発生回路２０の平滑コンデンサ２０ｄと主回路用直流電源発生回路１８の平滑コンデンサ１８ｂの間に接続する。
【００２６】
制御回路１９は、主制御回路であるマイクロコンピュータ１９ａと負荷駆動回路１９ｂを備え、前記制御回路用直流電源発生回路２０から出力される直流電圧を電源として作動する。マイクロコンピュータ１９ａは、この電気洗濯機の機能を実現するための制御処理プログラムを内蔵し、作動状態になると、電源リレー接点ＲＹ１，ＲＹ２を閉合制御して主回路用直流電源発生回路１８の交流端子を商用交流電源２０に接続し、操作パネル９に設けた指示入力スイッチ９ａからの指示入力に従って制御定数を設定すると共に設定状態を表示するように表示素子群９ｂを制御し、主駆動装置６のクラッチ機構操作ソレノイド６ｂを制御して洗濯駆動するようにクラッチ機構を操作すると共にインバータ回路１７を制御することによって直流ブラシレスモータ６ａを運転して撹拌翼５を回転駆動することにより該回転駆動負荷に基づいて布量検出し、検出した布量に応じた洗剤量を表示するように操作パネル９の表示素子群９ｂを制御し、水位センサ１１から出力する水位検出信号とダイオード２３および保護抵抗２４を介して入力する全波整流ダイオードブリッジ回路１８ａの交流端子への商用交流電圧の消失の有無を示す電源電圧検出信号を参照して、給水電磁弁１２を開放して洗濯水を所定の水位まで給水し、主駆動装置６のクラッチ機構操作ソレノイド６ｂを制御して洗濯駆動するようにクラッチ機構を操作し、インバータ回路１７を制御することによって直流ブラシレスモータ６ａを運転して撹拌翼５を回転駆動すると共に洗濯水循環ポンプ２５を運転して洗濯水を循環させる洗濯工程制御を実行し、排水電磁弁１４を開放して洗濯水を排水し、主駆動装置６のクラッチ機構を脱水駆動とするようにクラッチ機構操作ソレノイド６ｂを制御すると共にインバータ回路１７を制御することによって直流ブラシレスモータ６ａを運転して洗濯槽４と撹拌翼５を一体的に回転駆動する洗濯工程制御を実行し、更に、乾燥機能付きの電気洗濯機においては、外槽３内の空気を空気循環ファンによって吸い出して冷却除湿した後に加熱して洗濯槽４の上方から該洗濯槽４内に吹き込む乾燥工程を実行し、各工程の進行状態を表示するように操作パネル９の表示素子群９ｂを制御する。
【００２７】
マイクロコンピュータ１９ａを始めとする制御回路１９はＤＣ＋５Ｖ、リレーおよび電気部品の一部はＤＣ＋１２Ｖ，ＤＣ＋２４Ｖを駆動電源としており、これらの直流電源は制御回路用直流電源生成回路２０によって生成しているが、制御回路用直流電源生成回路２０の出力（負荷）は、電気洗濯機の運転工程によって動作する負荷が変化するために工程によって大きく変動し、最大出力時は約５０Ｗほどになる。
【００２８】
一方、電気洗濯機の電源スイッチ投入時のような起動時には、制御回路１９はマイクロコンピュータ１９ａや極少数の回路が動作しているのみであり、制御回路用直流電源発生回路２０の負荷は最小となり約０．５Ｗ程度の消費電力である。従って、制御回路用直流電源発生回路２０の入力は、効率を約８０％として、出力の変動に応じて０．６２Ｗ〜６２．５Ｗの範囲で変化する。
【００２９】
この実施例１における制御回路用直流電源発生回路２０は、電源スイッチ２０ｃの投入時は、半波整流ダイオード２０ａ，電流制限抵抗２０ｂ，電源スイッチ２０ｃを介して入力する半波整流脈動電圧によって最小負荷に対応するだけの電力供給を可能とする電荷を蓄えることのできる小さな静電容量（３０μＦ〜３５μＦ）の平滑コンデンサ２０ｄを充電して短時間に安定した直流電圧を生成することによって立ち上がる。
【００３０】
平滑コンデンサ２０ｄの充電電圧がスイッチング電源回路のスイッチング電源コントロールＩＣ２０ｆおよびスイッチングトランジスタ２０ｇの起動電圧まで上昇すると該スイッチング電源回路が動作して変圧器２０ｍの２次巻線２０ｉ〜２０ｋに交流電圧が発生し、この交流電圧を３つの半波整流ダイオード２０ｎ〜２０ｐを整流することによって３つの平滑コンデンサ２０ｑ〜２０ｓに直流電圧が発生し、この電圧がマイクロコンピュータ１９ａの動作電圧まで上昇すると該マイクロコンピュータ１９ａがリセットを行なって制御処理動作を開始する。電源スイッチ２０ｃが投入されてからマイクロコンピュータ１９ａが制御処理動作を開始するまでの遅れ時間は、主として平滑コンデンサ２０ｄの充電遅れ時間となるが、この実施例１における平滑コンデンサ２０ｄを小さな静電容量としていることから該平滑コンデンサ２０ｄの充電は極めて短時間（約０．２秒）に完了し、マイクロコンピュータ１９ａは、電源スイッチ２０ｃが投入されてから極めて短い時間で制御処理動作を開始し、電源スイッチ２０ｃが投入されると操作パネル９の表示素子群９ｂにおける電源表示素子を直ちに点灯する。
【００３１】
マイクロコンピュータ１９ａは、次に、電源リレー接点ＲＹ１を閉合し、その後は、電源スイッチ２０ｃが開放しても制御回路用直流電源発生回路２０の平滑コンデンサ２０ｄの充電は半波整流ダイオード２０ｅを介して継続し、以後、制御回路用直流電源発生回路２０による制御回路１９への直流電源の供給が継続する。
【００３２】
マイクロコンピュータ１９ａは、次に、電源リレー接点ＲＹ２を閉合して主回路用直流電源発生装置１８における全波整流ダイオードブリッジ１８ａに商用交流電圧を供給する。これにより、全波整流ダイオードブリッジ１８ａは交流電圧を全波整流して平滑コンデンサ１８ｂを充電し、インバータ回路１７に安定した所定の直流電圧を供給する状態となり、洗濯，脱水，乾燥の工程制御が可能な状態となる。
【００３３】
そして、マイクロコンピュータ１９ａが洗濯，脱水，乾燥工程の制御処理を開始すると、制御回路用直流源発生回路２０の負荷が増加することから該制御回路用直流源発生回路２０の小さな静電容量の平滑コンデンサ２０ｄでは負荷の増加に対応することができずに端子電圧が低下し、そのままでは制御回路用直流源発生回路２０から該制御回路用直流源発生回路２０の負荷への電力供給が不安定になってしまう。しかし、平滑コンデンサ２０ｄの端子電圧が主回路用直流電源発生回路１８の平滑コンデンサ１８ｂの端子電圧よりも低くなるとダイオード２２が導通して平滑コンデンサ１８ｂから平滑コンデンサ２０ｄおよびスイッチング電源回路への電力供給（補給）が行われるようになることから、マイクロコンピュータ１９ａが洗濯，脱水，乾燥工程の制御処理を開始しても制御回路用直流源発生回路２０から該制御回路用直流源発生回路２０の負荷へ安定した電力供給を継続することができる。
【００３４】
また、誤って電源コンセントが抜き取られたり、商用交流電源２１に瞬停が生じた場合も、同様に、主回路用直流電源発生回路１８の平滑コンデンサ１８ｂから制御回路用直流電源発生回路２０の平滑コンデンサ２０ｄに電力供給が行われることから該制御回路用直流電源発生回路２０は安定した制御用電圧の発生を継続し、この間に、マイクロコンピュータ１９ａは、ダイオード２３から保護抵抗２４を介して入力する電源電圧検出信号に基づいて商用交流電圧の消失を認識し、電気洗濯機の安全性を確保するための制御処理を実現することが可能となる。
【実施例２】
【００３５】
本発明の実施例２は、前記実施例１における洗濯槽４を横軸や斜め軸に設置するドラム式に変形すると共に撹拌翼５を省略した構成のドラム式の電気洗濯機である。主駆動装置６は、クラッチ機構を省略して可変速モータによって構成して洗濯槽を低速または高速で回転駆動することができるように構成し、制御装置は、洗濯および乾燥工程では前記洗濯槽を低速回転させて洗濯物を撹拌し、脱水工程では前記洗濯槽を高速回転させて洗濯物を遠心脱水するように主駆動装置（モータ）６を制御するように構成する。その他の構成は実施例１の電気洗濯機と同様である。
【図面の簡単な説明】
【００３６】
【図１】本発明の実施例１の電気洗濯機の縦断側面図である。
【図２】本発明の実施例１の電気洗濯機における制御装置の電気回路図である。
【符号の説明】
【００３７】
１…筐体、２…サスペンション、３…外層、４…洗濯槽、５…撹拌翼、６…主駆動部、６ａ…直流ブラシレスモータ、６ｂ…クラッチ機構操作ソレノイド、９…操作パネル、９ａ…指示入力スイッチ群、９ｂ…表示素子群、１０…主制御基板、１２…給水電磁弁、１４…排水電磁弁、１７…インバータ回路、１８…主回路用直流電源発生回路、１８ａ…全波整流ダイオードブリッジ回路、１８ｂ…平滑コンデンサ、１９…制御回路、１９ａ…マイクロコンピュータ、１９ｂ…負荷駆動回路、２０…制御回路用直流電源発生回路、２０ａ…半波整流ダイオード、２０ｃ…電源スイッチ、２０ｄ…平滑コンデンサ、２０ｇ…スイッチングトランジスタ、２０ｍ…変圧器、２２…ダイオード、ＲＹ１，ＲＹ２…電源リレー接点。
【図１】
2006197738.tif 000003
【図２】
2006197738.tif 000004